(57)【特許請求の範囲】
【請求項１】
所定解像度でカラーファクシミリ情報を送信するカラー送信モード、前記所定解像度と同じ解像度で白黒ファクシミリ情報を送信する白黒送信モードおよび前記所定解像度より低い解像度でカラーファクシミリ情報を送信するカラー送信モードを含む複数の送信モードを実行可能なファクシミリ装置であって、
相手先に対する送信モードとして前記所定解像度でのカラー送信モードを選択した際に、前記相手先に対して前記所定解像度でのカラー送信モードが実行可能か否かを判定する判定手段と、
前記相手先に対する前記所定解像度でのカラー送信モードが実行可能でないときには、該相手先に対して実行可能な送信モードを判別する判別手段と、
前記相手先に対応付けて該相手先に対して実行可能と判別された送信モードを登録する登録手段とを備え、
前記登録手段に登録された相手先に対して前記所定解像度でのカラー送信モードを選択した際には、前記相手先に対応付けて登録された送信モードを実行し、
前記判別手段により前記所定解像度でのカラー送信モードが実行可能でない相手先に対して実行可能と判別された送信モードが、前記所定解像度での白黒送信モードおよび前記所定解像度より低い解像度でのカラー送信モードであるときには、前記登録手段は、前記所定解像度でのカラー送信モードが実行可能でない相手先に対応付けて、前記所定解像度での白黒モードによる送信モードおよび前記所定解像度より低い解像度でのカラー送信モードによる送信モードのいずれか一方を登録することを特徴とするファクシミリ装置。
【請求項２】
前記所定解像度でのカラー送信モードが実行可能でない相手先に対する再送信を行う際には、前記登録手段により該相手先が実行可能な送信モードを登録した直後に、前記再送信を前記登録手段に登録された送信モードで実行することを特徴とする請求項１記載のファクシミリ装置。
【請求項３】
前記所定解像度は３００ｄｐｉであり、前記所定解像度より低い解像度は、主走査方向および副走査方向が２００ｄｐｉであることを特徴とする請求項１または２記載のファクシミリ装置。
【請求項４】
所定解像度でカラーファクシミリ情報を送信するカラー送信モード、前記所定解像度と同じ解像度で白黒ファクシミリ情報を送信する白黒送信モードおよび前記所定解像度より低い解像度でカラーファクシミリ情報を送信するカラー送信モードを含む複数の送信モードを実行するためのファクシミリ通信方法であって、
相手先に対する送信モードとして前記所定解像度でのカラー送信モードを選択した際に、前記相手先に対して前記所定解像度でのカラー送信モードが実行可能か否かを判定する工程と、
前記相手先に対する前記所定解像度でのカラー送信モードが実行可能でないときには、該相手先に対して実行可能な送信モードを判別する工程と、
前記相手先に対応付けて該相手先に対して実行可能と判別された送信モードを記憶手段に登録する工程と、
前記記憶手段に登録された相手先に対して前記所定解像度でのカラー送信モードを選択した際には、前記相手先に対応付けて登録された送信モードを実行する工程と、
前記所定解像度でのカラー送信モードが実行可能でない相手先に対して実行可能と判別された送信モードが、前記所定解像度での白黒送信モードおよび前記所定解像度より低い解像度でのカラー送信モードであるときには、前記所定解像度でのカラー送信モードが実行可能でない相手先に対応付けて、前記所定解像度での白黒モードによる送信モードおよび前記所定解像度より低い解像度でのカラー送信モードによる送信モードのいずれか一方を前記記憶手段に登録する工程と
を有することを特徴とするファクシミリ通信方法。
【請求項５】
前記所定解像度でのカラー送信モードが実行可能でない相手先に対して再送信を行う際には、該相手先が実行可能な送信モードの登録終了後に、前記再送信を登録された送信モードで実行する工程を有することを特徴とする請求項４記載のファクシミリ通信方法。
【請求項６】
前記所定解像度は３００ｄｐｉであり、前記所定解像度より低い解像度は、主走査方向および副走査方向が２００ｄｐｉであることを特徴とする請求項４または５記載のファクシミリ通信方法。
【発明の詳細な説明】
【０００１】
【発明の属する技術分野】
本発明は、所定解像度でカラーファクシミリ情報を送信するカラー送信モードを含む複数の送信モードを実行可能なファクシミリ装置およびファクシミリ通信方法に関する。
【０００２】
【従来の技術】
従来、ファクシミリ装置の多くは、白黒のファクシミリ情報を伝送するものである。この白黒のファクシミリ情報を伝送するファクシミリ装置の伝送制御手順においては、例えばＤＩＳ信号のＦＩＦの４２ビットを用いて、主走査方向、副走査方向ともに３００ｄｐｉの受信／記録機能ありを宣言することができ、ＤＣＳ信号のＦＩＦの４２ビットを用いて、主走査方向、副走査方向ともに３００ｄｐｉの送信を指定することができる。
【０００３】
【発明が解決しようとする課題】
近年、カラー情報の伝送に対するニーズが高まり、１９９７年７月にＩＴＵ−Ｔによりカラー情報の伝送に関する勧告が出された。これは、具体的には、ＤＩＳ信号のＦＩＦの６８ビットを用いてＪＰＥＧ符号化の受信能力を、ＤＩＳ信号のＦＩＦの６９ビットを用いてフルカラーモードの受信能力をそれぞれ宣言することができ、これらのビットがともに「１」であれば、ＦＩＦの６８、６９ビットがともに１であるＤＣＳ信号を送信することにより、カラーファクシミリ通信を指定することができるというものである。
【０００４】
この後、１９９８年６月には、カラーに関する高解像度（ＦＩＦの９７ビット）を定義可能である勧告が出され、これは、具体的には、ＤＩＳ信号のＦＩＦの９７ビットを用いて、主走査方向、副走査方向ともに３００ｄｐｉまたは４００ｄｐｉでのカラー／グレースケール受信機能の有無を宣言することができ、ＤＣＳ信号のＦＩＦの９７ビットを用いて、主走査方向、副走査方向ともに３００ｄｐｉまたは４００ｄｐｉでのカラー／グレースケールの送信を指定することができるというものである。
【０００５】
このような状況において、ＤＩＳ信号のＦＩＦの４２、６８、６９ビットがともに１で、このＤＩＳ信号のＦＩＦの９７、９８ビットが送信されないような場合、相手先が３００ｄｐｉでのカラー受信機能を有するか否かは不明である。ここで、３００ｄｐｉでのカラー受信機能を有していない相手先に対して３００ｄｐｉでのカラー送信を実行すると、通信エラーが発生し、この通信エラーにより相手先が３００ｄｐｉでのカラー受信機能を有していないことが分かる。これにより、次に同一の相手先に３００ｄｐｉでのカラー送信を実行すると、同様に、通信エラーが発生して３００ｄｐｉでのカラー送信を正常に終了することができない。そして、送信モードを変えて再送信を行う必要があり、この送信モードの変更に手間が掛る。
【０００６】
本発明の目的は、所定解像度でのカラー受信機能の有無が不明な相手先に対して、適正な送信モードを実行することができるファクシミリ装置およびファクシミリ通信方法を提供することにある。
【０００７】
【課題を解決するための手段】
請求項１記載の発明は、所定解像度でカラーファクシミリ情報を送信するカラー送信モード、前記所定解像度と同じ解像度で白黒ファクシミリ情報を送信する白黒送信モードおよび前記所定解像度より低い解像度でカラーファクシミリ情報を送信するカラー送信モードを含む複数の送信モードを実行可能なファクシミリ装置であって、相手先に対する送信モードとして前記所定解像度でのカラー送信モードを選択した際に、前記相手先に対して前記所定解像度でのカラー送信モードが実行可能か否かを判定する判定手段と、前記相手先に対する前記所定解像度でのカラー送信モードが実行可能でないときには、該相手先に対して実行可能な送信モードを判別する判別手段と、前記相手先に対応付けて該相手先に対して実行可能と判別された送信モードを登録する登録手段とを備え、前記登録手段に登録された相手先に対して前記所定解像度でのカラー送信モードを選択した際には、前記相手先に対応付けて登録された送信モードを実行し、前記判別手段により前記所定解像度でのカラー送信モードが実行可能でない相手先に対して実行可能と判別された送信モードが、前記所定解像度での白黒送信モードおよび前記所定解像度より低い解像度でのカラー送信モードであるときには、前記登録手段は、前記所定解像度でのカラー送信モードが実行可能でない相手先に対応付けて、前記所定解像度での白黒モードによる送信モードおよび前記所定解像度より低い解像度でのカラー送信モードによる送信モードのいずれか一方を登録することを特徴とする。
【０００９】
請求項２記載の発明は、請求項１記載のファクシミリ装置において、前記所定解像度でのカラー送信モードが実行可能でない相手先に対する再送信を行う際には、前記登録手段により該相手先が実行可能な送信モードを登録した直後に、前記再送信を前記登録手段に登録された送信モードで実行することを特徴とする。
【００１０】
請求項３記載の発明は、請求項１または２記載のファクシミリ装置において、前記所定解像度は３００ｄｐｉであり、前記所定解像度より低い解像度は、主走査方向および副走査方向が２００ｄｐｉであることを特徴とする。
【００１１】
請求項４記載の発明は、所定解像度でカラーファクシミリ情報を送信するカラー送信モード、前記所定解像度と同じ解像度で白黒ファクシミリ情報を送信する白黒送信モードおよび前記所定解像度より低い解像度でカラーファクシミリ情報を送信するカラー送信モードを含む複数の送信モードを実行するためのファクシミリ通信方法であって、相手先に対する送信モードとして前記所定解像度でのカラー送信モードを選択した際に、前記相手先に対して前記所定解像度でのカラー送信モードが実行可能か否かを判定する工程と、前記相手先に対する前記所定解像度でのカラー送信モードが実行可能でないときには、該相手先に対して実行可能な送信モードを判別する工程と、前記相手先に対応付けて該相手先に対して実行可能と判別された送信モードを記憶手段に登録する工程と、前記記憶手段に登録された相手先に対して前記所定解像度でのカラー送信モードを選択した際には、前記相手先に対応付けて登録された送信モードを実行する工程と、前記所定解像度でのカラー送信モードが実行可能でない相手先に対して実行可能と判別された送信モードが、前記所定解像度での白黒送信モードおよび前記所定解像度より低い解像度でのカラー送信モードであるときには、前記所定解像度でのカラー送信モードが実行可能でない相手先に対応付けて、前記所定解像度での白黒モードによる送信モードおよび前記所定解像度より低い解像度でのカラー送信モードによる送信モードのいずれか一方を前記記憶手段に登録する工程とを有することを特徴とする。
【００１３】
請求項５記載の発明は、請求項４記載のファクシミリ通信方法において、前記所定解像度でのカラー送信モードが実行可能でない相手先に対して再送信を行う際には、該相手先が実行可能な送信モードの登録終了後に、前記再送信を登録された送信モードで実行する工程を有することを特徴とする。
【００１４】
請求項６記載の発明は、請求項４または５記載のファクシミリ通信方法において、前記所定解像度は３００ｄｐｉであり、前記所定解像度より低い解像度は、主走査方向および副走査方向が２００ｄｐｉであることを特徴とする。
【００１５】
【発明の実施の形態】
以下に、本発明の実施の形態について図面を参照しながら説明する。
【００１６】
図１は本発明の実施の一形態に係るファクシミリ装置の構成を示すブロック図、図２は図１のファクシミリ装置のＲＡＭ１８にワンタッチダイヤルキーに対応付けて登録されている情報の内容を示す図である。
【００１７】
ファクシミリ装置は、図１に示すように、電話回線２ａに接続されている網制御装置（以下、ＮＣＵという）２を備える。ＮＣＵ２は、電話網とのデータ通信などに使用するためにその回線端末へ接続するなどの電話交換網の接続制御、データ通信路への切換を行い、電話回線２ａと電話機４との接続（ＣＭＬオフ）、および電話回線２ａとハイブリット回路６との接続（ＣＭＬオン）を選択的に切り換える。ＮＣＵ２と電話機４とは信号線２ｂで接続され、ＮＣＵ２とハイブリット回路６とは信号線２ｃで接続される。ＮＣＵ２の切換動作は後述するＣＰＵ２２で制御され、通常状態では、電話回線２ａと電話機４との接続が選択されている。
【００１８】
ハイブリット回路６は、電話回線２ａを介して送信されるファクシミリ送信系からの送信信号と、電話回線２ａを介して受信されるファクシミリ受信系への受信信号とを分離する。
【００１９】
ファクシミリ送信系は読取回路１４を有し、読取回路１４は、カラー原稿情報を含む原稿情報を読み取り、その読取りデータをバス２６に出力する。この読取りデータはＲＡＭ１８に一旦格納された後にＣＰＵ２２により読み出されて符号化され、該符号化されたデータはバス２６を介して変復調器８に出力される。
【００２０】
変復調器８は、バス２６を介して入力された符号化データに対し変調処理を施して変調信号を生成し、またハイブリット回路６から信号線６ａを介して取り込まれた受信信号に対し復調処理を施して復調データを生成する。この変調処理および復調処理は、ＩＴＵ−Ｔ勧告Ｖ．８，Ｖ．２１，Ｖ．２７ter，Ｖ．２９，Ｖ．１７，Ｖ．３４に基づき行われる。変復調器８による変調、復調処理の内容はＣＰＵ２２からバス２６を介して与えられる信号によって指示され、この指示された変調、復調処理によって伝送モードが決定される。ＣＰＵ２２からバス２６を介して変復調器８に与えられる指示は、送信モード、受信モード、伝送速度などの指示である。
【００２１】
変復調器８で生成された変調信号は、加算回路１２に信号線８ａを介して出力され、加算回路１２は、変復調器８からの変調信号と発呼回路１０から信号線１０ａを介して入力した信号とを加算してハイブリット回路６に信号線１２ａを介して出力する。発呼回路１０は、ＣＰＵ２２からバス２６を介して入力された電話番号情報に応じてＤＴＭＦの選択信号を信号線１０ａに出力する。ハイブリット回路６は加算回路１２からの加算された信号を送信信号としてＮＣＵ２経由で電話回線２ａに送出する。
【００２２】
これに対し、ファクシミリ受信系では、相手装置からＮＣＵ２経由で受信した信号がハイブリット回路６から信号線６ａを介して変復調器８に出力される。変復調器８は、上述したように、信号線６ａを介して取り込まれた受信号に対し復調処理を施し、復調データを生成する。変復調器８で生成された復調データは、バス２６を介してＣＰＵ２２に与えられる。ＣＰＵ２２は、復調データに対し復号化などの処理を施し、その復号化されたデータをメモリ１８にバス２６を介して格納し、またはバス２６を介して記録回路１６に出力する。記録回路１６は、カラー印字が可能なプリンタであり、該プリンタはバス２６を介して取り込んだデータを順次１ライン毎に記録紙に記録する。
【００２３】
ＣＰＵ２２は、ＲＯＭ２４に格納されているプログラムに従い装置全体の制御を行うとともに、送信、受信制御などのファクシミリ伝送制御を行う。このＣＰＵ２２による制御に関する作業領域としては、ＲＡＭ１８が用いられる。
【００２４】
ＣＰＵ２２に対する指示入力は、操作部２０を介して行われる。この操作部２０は、機能設定キー、ワンタッチダイヤルキー、短縮ダイヤルキー、テンキー、＊キー、＃キー、スタートキー、ストップキー、セットキー、ＲＡＭ１８へ情報を登録するための登録キーなどを有し、これらのキー操作が行われると、対応する情報がバス２６を介してＣＰＵ２２に入力される。また、操作部２０には、装置状態、宛先およびその電話番号情報、警告メッセージなどを表示する液晶パネルなどからなる表示部（図示せず）が設けられている。
【００２５】
本実施の形態では、ＲＯＭ２４に格納されている制御プログラムには、相手先に対する送信モードとして所定解像度でのカラー送信モードを選択した際に、相手先に対して所定解像度でのカラー送信モードが実行可能か否かを判定するモジュールと、相手先に対する所定解像度でのカラー送信モードが実行可能でないときには、該相手先に対して実行可能な送信モードを判別するモジュールと、相手先に対応付けて該相手先に対して実行可能と判別された送信モードをＲＡＭ１８に登録するモジュールと、ＲＡＭ１８に登録された相手先に対して所定解像度でのカラー送信モードを選択した際には、相手先に対応付けて登録された送信モードを実行するモジュールとが含まれる。
【００２６】
また、本実施の形態では、所定解像度でのカラー送信モードが実行可能でない相手先に対して実行可能と判別された送信モードを、所定解像度での白黒送信モードおよび所定解像度より低い解像度でのカラー送信モードであるとし、所定解像度でのカラー送信モードが実行可能でない相手先に対応付けて、所定解像度での白黒モードによる送信モードおよび前記所定解像度より低い解像度でのカラーモードによる送信モードのいずれか一方を登録する。
【００２７】
さらに、本実施の形態では、所定解像度でのカラー送信モードが実行可能でない相手先に対して再送信を行う際には、該相手先が実行可能な送信モードの登録終了後に、再送信を、登録された送信モードで実行する。
【００２８】
さらに、所定解像度は３００ｄｐｉとし、所定解像度より低い解像度は、主走査方向および副走査方向が２００ｄｐｉであるとする。
【００２９】
ＲＡＭ１８には、相手先に対応付けて３００ｄｐｉでのカラー通信が可能であるか否かを示す情報が登録されている。本実施の形態では、例えば図２（ａ）に示すように、「０１」〜「０３」の各ワンタッチダイヤルキーに対応付けて宛先電話番号、３００ｄｐｉの解像度／カラー通信が可能であるか否かを示す情報がＲＡＭ１８に登録されている。また、ＲＡＭ１８には、図２（ｂ）に示すように、３００ｄｐｉでのカラー送信不可時の宛先に対してカラー送信を優先するか３００ｄｐｉの解像度での送信を優先するかが登録されている。
【００３０】
次に、ＣＰＵ２２による制御について図３ないし図１２を参照しながら説明する。図３ないし図１２は図１のファクシミリ装置のＣＰＵ２２による制御手順を示すフローチャートである。
【００３１】
図３を参照するに、まずステップＳ２においてＲＡＭ１８をクリアし、続くステップＳ４で、バス２６を介して操作部２０の表示部をクリアする。そして、ステップＳ６に進み、バス２６を介してＮＣＵ２のＣＭＬをオフする。
【００３２】
次いで、ステップＳ８に進み、操作部２０からバス２６を介して入力された情報に基づき、ワンタッチダイヤルキーの登録が選択されたか否かを判定する。ワンタッチダイヤルキーの登録が選択されると、ステップＳ１０に進み、ワンタッチダイヤルキー対応付けて宛先電話番号、３００ｄｐｉの解像度／カラー通信が可能であるか否かを示す情報をＲＡＭ１８に登録する（図２（ａ）を参照）。そして、ステップＳ１２に進む。これに対し、ワンタッチダイヤルキーの登録が選択されないときには、上記ステップＳ１０をスキップしてステップＳ１２に進む。
【００３３】
ステップＳ１２では、操作部２０からバス２６を介して入力された情報に基づきカラー通信、３００ｄｐｉでの通信が不可時に対応する登録が選択されたか否かを判定し、この登録が選択されたときには、ステップＳ１４に進み、カラー優先または３００ｄｐｉ優先をＲＡＭ１８に登録する（図２（ｂ）を参照）。そして、図４に示すステップＳ１６に進む。これに対し、カラー通信、３００ｄｐｉでの通信が不可時に対応する登録が選択されないときには、上記ステップＳ１４をスキップしてステップＳ１６に進む。
【００３４】
ステップＳ１６では、図４に示すように、カラー送信が選択されたか否かを判定し、カラー送信が選択されないときには、ステップＳ１８に進み、その他の処理を実行し、そして上記ステップＳ６に戻る。上記ステップＳ１６において送信が選択されたと判定したときには、ステップＳ２０に進み、操作部２０からバス２６を介して入力された情報に基づき３００ｄｐｉでの送信が選択されたか否かを判定し、３００ｄｐｉでの送信が選択されないときには、ステップＳ２２に進み、指定された解像度でのカラー送信を実行し、上記ステップＳ６に戻る。
【００３５】
３００ｄｐｉでの送信が選択されたときには、ステップＳ２４に進み、バス２６を介してＮＣＵ２のＣＭＬをオンし、続くステップＳ２６で、発呼回路１０を介して指定された宛先へ発呼する。そして、ステップＳ２８に進み、ＲＡＭ１８に格納された情報（図２（ａ）に示す）を参照して指定された宛先に対して３００ｄｐｉでのカラー送信が「ＮＧ」と登録されているか否かを判定する。ここで、指定された宛先に対して３００ｄｐｉでのカラー送信が「ＮＧ」と登録されているときには、ステップＳ３０に進み、ＲＡＭ１８に格納されている情報（例えば図２（ｂ）に示す）を参照して指定された宛先に対してカラー優先が登録されているか否かを判定する。指定された宛先に対してカラー優先が登録されているときには、ステップＳ３２に進み、３００ｄｐｉより低い解像度（ここでは２００ｄｐｉ）でのカラー送信を選択する。
【００３６】
次いで、図５に示すステップＳ３４に進み、前手順を実行し、続くステップＳ３６で、ＤＩＳ信号のＦＩＦの６８、６９ビットが１であるか否かを判定する。ＤＩＳ信号のＦＩＦの６８、６９ビットが１であるときには、ステップＳ３８に進み、残りの前手順を実行する。ここでは、ＤＣＳ信号のＦＩＦの６８、６９ビットを１とし、２００ｄｐｉでのカラー送信を指定する。次いで、ステップＳ４０に進み、２００ｄｐｉでのカラー送信を実行し、続くステップＳ４２で、後手順を実行する。そして、上記ステップＳ６に戻り、ＣＭＬをオフする。
【００３７】
上記ステップＳ３６においてＤＩＳ信号のＦＩＦの６８、６９ビットが１でないと判定すると、ステップＳ４４に進み、ＤＩＳ信号のＦＩＦの４２ビットが１であるか否かを判定し、ＤＩＳ信号のＦＩＦの４２ビットが１であるときには、ステップＳ４６に進み、残りの前手順を実行する。ここでは、ＤＣＳ信号のＦＩＦの４２ビットを１、６８、６９ビットを０とし、３００ｄｐｉでの白黒送信を指定する。次いで、ステップＳ４８に進み、３００ｄｐｉでの白黒送信を実行し、続くステップＳ５０で、後手順を実行する。そして、上記ステップＳ６に戻り、ＣＭＬをオフする。
【００３８】
上記ステップＳ４４においてＤＩＳ信号のＦＩＦの４２ビットが１でないときには、図６に示すステップＳ５２に進み、ＤＩＳ信号のＦＩＦの１５ビットが１であるか否かを判定し、ＤＩＳ信号のＦＩＦの１５ビットが１であるときには、ステップＳ５４に進み、残りの前手順を実行する。ここでは、ＤＣＳ信号のＦＩＦの１５ビットを１、６８、６９ビットを０とし、２００ｄｐｉでの白黒送信を指定する。次いで、ステップＳ５６に進み、２００ｄｐｉでの白黒送信を実行し、続くステップＳ５８で、後手順を実行する。そして、上記ステップＳ６に戻り、ＣＭＬをオフする。
【００３９】
上記ステップＳ５２においてＤＩＳ信号のＦＩＦの１５ビットが１でないと判定すると、ステップＳ６０に進み、残りの前手順を実行する。ここでは、ＤＣＳ信号のＦＩＦの１５、６８、６９ビットをそれぞれ０とし、主走査２００ｄｐｉ、副走査１００ｄｐｉでの白黒送信を指定する。次いで、ステップＳ６２に進み、主走査２００ｄｐｉ、副走査１００ｄｐｉでの白黒送信を実行する。そして、上記ステップＳ５８で後手順を実行し、上記ステップＳ６に戻る。
【００４０】
上記ステップＳ２８において指定された宛先に対して３００ｄｐｉでのカラー送信が「ＮＧ」と登録されていないと判定したときには、図８に示すステップＳ６８に進み、前手順を実行し、続くステップＳ７０で、ＤＩＳ信号のＦＩＦの６８、６９ビットが１であるか否かを判定する。ＤＩＳ信号のＦＩＦの６８、６９ビットが１であるときには、ステップＳ７２に進み、ＤＩＳ信号のＦＩＦの４２ビットが１であるか否かを判定し、ＤＩＳ信号のＦＩＦの４２ビットが１であるときには、ステップＳ７４に進む。ステップＳ７４では、ＤＩＳ信号のＦＩＦの９７ビットが１であるか否かを判定し、ＤＩＳ信号のＦＩＦの９７ビットが１であるときには、ステップＳ７６に進み、残りの前手順を実行する。ここでは、ＤＣＳ信号のＦＩＦの６８、６９、９７ビットを１とし、３００ｄｐｉでのカラー送信を指定する。次いで、図９に示すステップＳ７８に進み、３００ｄｐｉでのカラー送信を実行し、続くステップＳ８０で、後手順を実行する。そして、ステップＳ８２に進み、指定された宛先のワンタッチダイヤルに対応付けて３００ｄｐｉ、カラー通信を「ＯＫ」とＲＡＭ１８に登録し、上記ステップＳ６に戻る。
【００４１】
上記ステップＳ７０においてＤＩＳ信号のＦＩＦの６８、６９ビットが１でないと判定したときには、図１２に示すステップＳ１０４に進み、後述するステップＳ８６と同じ処理を実行する。すなわち、指定された宛先のワンタッチダイヤルキーに対応付けて３００ｄｐｉ、カラー通信を「ＮＧ」とＲＡＭ１８に登録する。そして、上記ステップＳ４４（図５に示す）に進み、このステップＳ４４からの以降処理により、上述した通り、ＤＣＳ信号のＦＩＦの所定ビットの値を参照して、３００ｄｐｉでの白黒送信、２００ｄｐｉでの白黒送信、主走査２００ｄｐｉ、副走査１００ｄｐｉでの白黒送信のいずれかをを実行する。
【００４２】
上記ステップＳ７２においてＤＩＳ信号のＦＩＦの４２ビットが１でないと判定したときには、ステップＳ７３に進み、指定された宛先のワンタッチダイヤルキーに対応付けて３００ｄｐｉ、カラー通信を「ＮＧ」とＲＡＭ１８に登録する。そして、図１０に示すステップＳ８８に進み、ＲＡＭ１８に登録されている情報を参照して指定された宛先に対してカラー優先が登録されているか否かを判定する。指定された宛先に対してカラー優先が登録されているときには、上記ステップＳ３８（図５に示す）に進み、２００ｄｐｉでのカラー送信を実行する。指定された宛先に対してカラー優先が登録されていないときには、上記ステップＳ４４（図５に示す）に進む。このステップＳ４４からの処理により、上述した通り、ＤＣＳ信号のＦＩＦの所定ビットの値を参照して、３００ｄｐｉでの白黒送信、２００ｄｐｉでの白黒送信、主走査２００ｄｐｉ、副走査１００ｄｐｉでの白黒送信のいずれかを実行する。
【００４３】
上記ステップＳ７４においてＤＩＳ信号のＦＩＦの９７ビットが１でないと判定したときには、図１０に示すステップＳ８４に進み、ＤＩＳ信号のＦＩＦの９７ビットが０であるか否かを判定し、ＤＩＳ信号のＦＩＦの９７ビットが０であるときには、ステップＳ８６に進み、指定された宛先のワンタッチダイヤルキーに対応付けて３００ｄｐｉ、カラー通信を「ＮＧ」とＲＡＭ１８に登録する。そして、ステップＳ８８に進み、ＲＡＭ１８に登録されている情報を参照して指定された宛先に対してカラー優先が登録されているか否かを判定する。指定された宛先に対してカラー優先が登録されているときには、上記ステップＳ３８（図５に示す）に進み、２００ｄｐｉでのカラー送信を実行する。指定された宛先に対してカラー優先が登録されていないときには、上記ステップＳ４４（図５に示す）に進む。このステップＳ４４からの処理により、上述した通り、ＤＣＳ信号のＦＩＦの所定ビットの値を参照して、３００ｄｐｉでの白黒送信、２００ｄｐｉでの白黒送信、主走査２００ｄｐｉ、副走査１００ｄｐｉでの白黒送信のいずれかを実行する。
【００４４】
上記ステップＳ８４においてＤＩＳ信号のＦＩＦの９７ビットが０でないと判定したときには、ステップＳ９０に進み、残りの前手順を実行する。ここでは、ＤＣＳ信号のＦＩＦの４２、６８、６９ビットを１とし、３００ｄｐｉでのカラー送信を指定する。次いで、ステップＳ９２に進み、３００ｄｐｉでのカラー送信を実行し、続くステップＳ９４で後手順を実行し、そしてステップＳ９６で、通信が正常に終了したか否かを判定する。通信が正常に終了したときには、上記ステップＳ８２（図９に示す）に進み、指定された宛先のワンタッチダイヤルに対応付けて３００ｄｐｉ、カラー通信を「ＯＫ」とＲＡＭ１８に登録し、上記ステップＳ６に戻る。通信が正常に終了していないときには、ステップＳ９８に進み、ＮＣＵ２のＣＭＬをオフする。次いで、図１１に示すステップＳ１００に進み、ステップＳ８６と同じように、指定された宛先のワンタッチダイヤルキーに対応付けて３００ｄｐｉ、カラー通信を「ＮＧ」とＲＡＭ１８に登録し、続くステップＳ１０２で、６０秒間ウェイトする。そして、上記ステップＳ２４（図４に示す）に進み、ＣＭＬをオンして再送信を行う。この再送信は、ＲＡＭ１８に登録されている情報を参照して指定された宛先に対して実行可能な送信モードで行われることになる。
【００４５】
上記ステップＳ３０において指定された宛先に対してカラー優先が登録されていないときには、図７に示すステップＳ６４に進み、白黒３００ｄｐｉでの通信を選択すると判断し、続くステップＳ６６で、前手順を実行する。そして、上記ステップＳ４４（図５に示す）に進む。このステップＳ４４からの処理により、上述した通り、ＤＣＳ信号のＦＩＦの所定ビットの値を参照して、３００ｄｐｉでの白黒送信、２００ｄｐｉでの白黒送信、主走査２００ｄｐｉ、副走査１００ｄｐｉでの白黒送信のいずれかを実行する。
【００４６】
このように、本実施の形態では、相手先に対する送信モードとして所定解像度でのカラー送信モードを選択した際に、相手先に対して所定解像度でのカラー送信モードが実行可能か否かを判定し、相手先に対する所定解像度でのカラー送信モードが実行可能でないときには、該相手先に対して実行可能な送信モードを判別し、相手先に対応付けて該相手先に対して実行可能と判別された送信モードをＲＡＭ１８に登録し、ＲＡＭ１８に登録された相手先に対して所定解像度でのカラー送信モードを選択した際には、相手先に対応付けて登録された送信モードを実行するから、所定解像度でのカラー受信機能の有無が不明な相手先に対して、適正な送信モードを実行することができる。
【００４７】
また、所定解像度でのカラー送信モードが実行可能でない相手先に対して実行可能と判別された送信モードを、所定解像度での白黒送信モードおよび所定解像度より低い解像度でのカラー送信モードであるとし、所定解像度でのカラー送信モードが実行可能でない相手先に対応付けて、所定解像度での白黒モードによる送信モードおよび所定解像度より低い解像度でのカラーモードによる送信モードのいずれか一方を登録するから、所定解像度でのカラー送信モードが実行可能でない相手先に対してカラー送信を優先させるか、白黒送信であるが解像度を優先させるかをユーザの要望に応じて設定することが可能になる。
【００４８】
さらに、所定解像度でのカラー送信モードが実行可能でない相手先に対して再送信を行う際には、該相手先が実行可能な送信モードの登録終了後に、再送信を、登録された送信モードで実行するから、ユーザに手間を掛けることなく、再送信を適正なモードで実行することができる。
【００４９】
なお、本実施の形態では、所定解像度を３００ｄｐｉとするカラー送信の場合を説明したが、４００ｄｐｉでのカラー送信の場合も同様に対応することができることはいうまでもない。
【００５０】
【発明の効果】
以上説明したように、本発明によれば、登録された相手先に対して所定解像度でのカラー送信モードを選択した際には、相手先に対応付けて登録された送信モードを実行し、所定解像度でのカラー送信モードが実行可能でない相手先に対して実行可能と判別された送信モードが、所定解像度での白黒送信モードおよび所定解像度より低い解像度でのカラー送信モードであるときには、所定解像度でのカラー送信モードが実行可能でない相手先に対応付けて、所定解像度での白黒モードによる送信モードおよび所定解像度より低い解像度でのカラー送信モードによる送信モードのいずれか一方を登録するから、所定解像度でのカラー受信機能の有無が不明な相手先に対して、適正な送信モードを実行することができる。また、所定解像度でのカラー送信モードが実行可能でない相手先に対してカラー送信を優先させるか、白黒送信であるが解像度を優先させるかをユーザの要望に応じて設定することが可能になる。
【００５２】
さらに、所定解像度でのカラー送信モードが実行可能でない相手先に対する再送信を行う際には、登録手段により該相手先が実行可能な送信モードを登録した直後に、再送信を登録された送信モードで実行することによって、ユーザに手間を掛けることなく、再送信を適正なモードで実行することができる。
【００５３】
さらに、所定解像度は３００ｄｐｉであり、所定解像度より低い解像度は、主走査方向および副走査方向が２００ｄｐｉであるとすることができる。
【図面の簡単な説明】
【図１】本発明の実施の一形態に係るファクシミリ装置の構成を示すブロック図である。
【図２】図１のファクシミリ装置のＲＡＭ１８にワンタッチダイヤルキーに対応付けて登録されている情報の内容を示す図である。
【図３】図１のファクシミリ装置のＣＰＵ２２による制御手順を示すフローチャートである。
【図４】図１のファクシミリ装置のＣＰＵ２２による制御手順を示すフローチャートである。
【図５】図１のファクシミリ装置のＣＰＵ２２による制御手順を示すフローチャートである。
【図６】図１のファクシミリ装置のＣＰＵ２２による制御手順を示すフローチャートである。
【図７】図１のファクシミリ装置のＣＰＵ２２による制御手順を示すフローチャートである。
【図８】図１のファクシミリ装置のＣＰＵ２２による制御手順を示すフローチャートである。
【図９】図１のファクシミリ装置のＣＰＵ２２による制御手順を示すフローチャートである。
【図１０】図１のファクシミリ装置のＣＰＵ２２による制御手順を示すフローチャートである。
【図１１】図１のファクシミリ装置のＣＰＵ２２による制御手順を示すフローチャートである。
【図１２】図１のファクシミリ装置のＣＰＵ２２による制御手順を示すフローチャートである。
【符号の説明】
２  ＮＣＵ
４  電話機
６  ハイブリット回路
８  変復調器
１０  発呼回路
１２  加算回路
１４  読取回路
１６  記録回路
１８  ＲＡＭ
２０  操作部
２２  ＣＰＵ
２４  ＲＯＭ
【図１】
0003754858.tif 000002
【図２】
0003754858.tif 000003
【図３】
0003754858.tif 000004
【図４】
0003754858.tif 000005
【図５】
0003754858.tif 000006
【図６】
0003754858.tif 000007
【図７】
0003754858.tif 000008
【図８】
0003754858.tif 000009
【図９】
0003754858.tif 000010
【図１０】
0003754858.tif 000011
【図１１】
0003754858.tif 000012
【図１２】
0003754858.tif 000013